(57)【要約】【課題】作業者の安全性をより向上させる、引き寄せロープ巻き取りシステム、及び、セーフティ装置を提供する。【解決手段】引き寄せロープ巻き取りシステムは、作業者が落下した際に動作して、作業者の落下を強制的に阻止するセーフティブロックに、その一端が取り付けられる、引き寄せロープと、前記引き寄せロープの他端が取り付けられ、繰り出し可能に前記引き寄せロープを巻き取る機能を有する、引き寄せロープ巻き取り部と、を備える。【選択図】図１
2019162198.tif 000002
【特許請求の範囲】
【請求項１】
作業者が落下した際に動作して、作業者の落下を強制的に阻止するセーフティブロックに、その一端が取り付けられる、引き寄せロープと、
前記引き寄せロープの他端が取り付けられ、繰り出し可能に前記引き寄せロープを巻き取る機能を有する、引き寄せロープ巻き取り部と、
を備える引き寄せロープ巻き取りシステム。
【請求項２】
前記引き寄せロープ巻き取り部を、他の部材に固定的に取り付けるための第１取り付け部を、さらに備える請求項１に記載の引き寄せロープ巻き取りシステム。
【請求項３】
前記引き寄せロープの前記一端には、第２取り付け部が設けられており、この第２取り付け部を介して、前記引き寄せロープの前記一端は、前記セーフティブロックに取り付けられる、請求項１又は請求項２に記載の引き寄せロープ巻き取りシステム。
【請求項４】
作業者が落下した際に動作して、作業者の落下を強制的に阻止するセーフティブロックと、
前記セーフティブロックにその一端が取り付けられる、引き寄せロープと、
前記引き寄せロープの他端が取り付けられ、繰り出し可能に前記引き寄せロープを巻き取る機能を有する、引き寄せロープ巻き取り部と、
を備えるセーフティ装置。
【請求項５】
前記セーフティブロックは、繰り出し可能にセーフティロープを巻き取る機能を有するセーフティロープ巻き取り部を備えており、
前記セーフティロープ巻き取り部が前記セーフティロープを巻き取る力よりも、前記引き寄せロープ巻き取り部が前記引き寄せロープを巻き取る力の方が弱い、請求項４に記載のセーフティ装置。
【発明の詳細な説明】
【技術分野】
【０００１】
本発明の実施形態は、引き寄せロープ巻き取りシステム、及び、セーフティ装置に関する。
【背景技術】
【０００２】
建設工事においては、はしごやローリングタワーを昇降するような作業をする際には、セーフティブロックの一方を工事現場における固定部材に取り付け、他方のフックを作業者の身体に取り付けて、作業者の安全を確保している。これにより、作業者が万が一、はしごやローリングタワーから足を滑らした場合でも、作業者が墜落したり、転落したりするのを阻止している。
【０００３】
しかし、セーフティブロックを作業者の身体に取り付けた場合、セーフティブロックを引き寄せるための引き寄せロープは、弛んだ状態となり、周辺の突起物等に絡まりやすい状態となってしまう。ロープが絡まると、昇降中にロープを解くという作業が発生することとなり、墜落や転落のリスクが高まってしまう。
【先行技術文献】
【特許文献】
【０００４】
【特許文献１】特許第５４２９５６９号公報
【発明の概要】
【発明が解決しようとする課題】
【０００５】
作業者の安全性をより向上させる、引き寄せロープ巻き取りシステム、及び、セーフティ装置を提供する。
【課題を解決するための手段】
【０００６】
本実施形態に係る引き寄せロープ巻き取りシステムは、作業者が落下した際に動作して、作業者の落下を強制的に阻止するセーフティブロックに、その一端が取り付けられる、引き寄せロープと、前記引き寄せロープの他端が取り付けられ、繰り出し可能に前記引き寄せロープを巻き取る機能を有する、引き寄せロープ巻き取り部と、を備える。
【０００７】
本実施形態に係るセーフティ装置は、作業者が落下した際に動作して、作業者の落下を強制的に阻止するセーフティブロックと、前記セーフティブロックにその一端が取り付けられる、引き寄せロープと、前記引き寄せロープの他端が取り付けられ、繰り出し可能に前記引き寄せロープを巻き取る機能を有する、引き寄せロープ巻き取り部と、を備える。
【図面の簡単な説明】
【０００８】
【図１】本実施形態に係るセーフティ装置の全体構成を説明するための図（セーフティロープがセーフティロープ巻き取り部に巻き取られた状態）。
【図２】本実施形態に係るセーフティ装置の全体構成を説明するための図（はしごの途中までセーフティロープがセーフティロープ巻き取り部から繰り出された状態）。
【図３】本実施形態に係るセーフティ装置の全体構成を説明するための図（はしごの下部までセーフティロープがセーフティロープ巻き取り部から繰り出された状態）。
【図４】本実施形態に係るセーフティ装置の背面斜視図。
【図５】本実施形態に係るセーフティ装置の正面図。
【図６】本実施形態に係るセーフティ装置の側面図。
【図７】本実施形態に係るセーフティ装置の平面図。
【発明を実施するための形態】
【０００９】
以下、図面を参照しながら、実施形態に係る引き寄せロープ巻き取りシステム、及び、セーフティ装置を説明する。なお、以下の説明において、略同一の機能及び構成を有する構成要素については、同一符号を付し、重複説明は必要な場合にのみ行うこととする。
【００１０】
図１は、一実施形態に係るセーフティ装置の全体構成を説明する図である。この図１に示すように、本実施形態に係るセーフティ装置は、セーフティブロック１０と、引き寄せロープ巻き取りシステム２０とを備えて構成されている。
【００１１】
セーフティブロック１０は、作業者が、例えばはしご３０を介して昇降しているときに、足を滑られる等して、落下しそうになった場合でも、その落下を強制的に阻止して、事故の発生を未然に防止する装置である。
【００１２】
より具体的には、セーフティブロック１０は、セーフティロープ巻き取り部１２と、セーフティロープ１４と、セーフティブロック取り付け部１６とを備えて構成されている。セーフティロープ巻き取り部１２には、セーフティロープ１４が繰り出し可能に巻き取られて、収納されている。例えば、本実施形態においては、セーフティロープ巻き取り部１２内に収容されているドラムに、セーフティロープ１４が巻回されており、ドラムが所定方向に自律的に回転するように構成されていることから、セーフティロープ１４が自動的に巻き取られる構造になっている。また、ドラムが所定方向に自律的に回転する力よりも強い力で、作業者がセーフティロープ１４を引っ張ることにより、セーフティロープ巻き取り部１２から、セーフティロープ１４を繰り出すことができる構造になっている。
【００１３】
セーフティロープ１４の一端には、フック１４ａが設けられており、作業時には、このフック１４ａを作業者が装着している安全ベルトに掛け止めする。このため、作業者がセーフティブロック１０から離れる方向に移動すると、作業者の引っ張る力により、セーフティロープ１４はセーフティロープ巻き取り部１２から繰り出される。一方、作業者がセーフティブロック１０に近づく方向に移動すると、セーフティロープ１４に弛みができるが、この弛みはセーフティロープ巻き取り部１２のセーフティロープ１４を巻き取る力により、セーフティロープ巻き取り部１２に巻き取られる。そして、結果として、作業者のはしご３０の昇降に応じて、セーフティロープ巻き取り部１２は、セーフティロープ巻き取り部１２を繰り出したり、巻き取ったりする。これにより、作業者の昇降に、セーフティロープ１４が邪魔にならないようにしつつ、万が一の際の落下を阻止可能にしている。
【００１４】
セーフティブロック取り付け部１６は、セーフティロープ巻き取り部１２を、工事現場における固定部材に取り付ける取り付け具である。本実施形態においては、金具１６ａの一端に設けられたフック１６ｂを介して、セーフティロープ巻き取り部１２が固定部材に取り付けられる。この図１の例では、フック１６ｂは、工事現場におけるローリングタワー等を構成する固定部材である横架部材４０に掛かり止めされている。このため、セーフティロープ巻き取り部１２は、横方向への自由な移動を可能にしつつ、金具１６ａとフック１６ｂとを介して、横架部材４０にぶら下がることになる。
【００１５】
引き寄せロープ巻き取りシステム２０は、引き寄せロープ巻き取り部２２と、引き寄せロープ２４とを備えて構成されている。引き寄せロープ２４の一端は、セーフティロープ１４におけるフック１４ａの近傍に取り付けられており、引き寄せロープ２４の他端は、引き寄せロープ巻き取り部２２に取り付けられている。
【００１６】
引き寄せロープ巻き取り部２２は、はしご３０の下部に取り付けられており、引き寄せロープ２４が繰り出し可能に巻き取られて、収納されている。例えば、本実施形態においては、引き寄せロープ巻き取り部２２内に収容されているドラムに、引き寄せロープ２４が巻回されており、ドラムが所定方向に自動的に回転するように構成されていることから、引き寄せロープ２４が引き寄せロープ巻き取り部２２に自動的に巻き取られる構造になっている。また、ドラムが所定方向に自動的に回転する力よりも強い力で、作業者が引き寄せロープ２４を引っ張ることにより、引き寄せロープ巻き取り部２２から、引き寄せロープ２４を繰り出すことができる。
【００１７】
引き寄せロープ２４は、作業者からセーフティブロック１０が手の届かない位置にある場合に、作業者がセーフティロープ１４のフック１４ａを引き寄せるためのロープである。例えば、図１において、作業者がはしご３０の下にいる場合には、作業者はセーフティブロック１０のセーフティロープ１４のフック１４ａまで直接、手が届かない。そこで、作業者は、引き寄せロープ２４を手繰り寄せることにより、セーフティロープ１４のフック１４ａを引き寄せて、セーフティロープ１４のフック１４ａを安全ベルトに掛け止めする。
【００１８】
例えば、引き寄せロープ２４の一端には、引き寄せロープ２４をセーフティブロック１０に取り付けるためのカラビナ２６が設けられている。本実施形態においては、このカラビナ２６は、セーフティブロック１０におけるセーフティロープ１４のフック１４ａに掛かり止めされる。このカラビナ２６が、本実施形態における第２取り付け部を構成している。
【００１９】
次に、図１を参照しつつ、図２及び図３に基づいて、本実施形態に係るセーフティ装置の使用態様の一例を説明する。作業者がはしご３０を用いて地上から地下に降りる場合を想定すると、図１は、作業者が地上にいる場合であり、作業者が安全ベルトにフック１４ａを掛け止めして、はしご３０を降り始める状態のセーフティ装置を示している。
【００２０】
図２は、作業者がはしご３０を中程まで降りた状態のセーフティ装置を示している。作業者がはしご３０を降りるにしたがって、セーフティロープ巻き取り部１２からセーフティロープ１４が繰り出される一方で、引き寄せロープ２４が引き寄せロープ巻き取り部２２に巻き取られる。このため、引き寄せロープ２４が作業者の周囲やはしご３０の下部で弛むことはない。
【００２１】
図３は、作業者がはしご３０を下部まで降りた状態のセーフティ装置を示している。作業者がはしご３０を下部まで降りると、セーフティロープ巻き取り部１２からセーフティロープ１４がさらに繰り出される一方で、引き寄せロープ２４が引き寄せロープ巻き取り部２２にさらに巻き取られる。このため、作業者がはしご３０の下部まで降りても、引き寄せロープ２４が作業者の周囲で弛んだり、はしご３０の下部に溜まったりすることはない。
【００２２】
そして、作業者がはしご３０を下まで降り終えて、自身の安全ベルトからフック１４ａを外すと、セーフティロープ１４がセーフティロープ巻き取り部１２に巻き取られて、セーフティ装置１は図１の状態に戻る。つまり、本実施形態に係るセーフティ装置においては、セーフティロープ巻き取り部１２がセーフティロープ１４を巻き取る力よりも、引き寄せロープ巻き取り部２２が引き寄せロープ２４を巻き取る力の方が弱い設定になっている。これは、フック１４ａが作業者の安全ベルトから外された場合に、セーフティロープ１４が巻き取られて、常にフック１４ａがセーフティブロック１０近傍に、つまり、作業者の上部に、フック１４ａが位置するようにするためである。
【００２３】
作業者が作業を終えて、はしご３０を登ろうとする場合、セーフティ装置は、図１の状態にある。このため、作業者は、引き寄せロープ２４を手繰り寄せて、フック１４ａを取得し、自らの安全ベルトに掛け止めする。これは、図３に示すセーフティ装置１の状態である。作業者が引き寄せロープ２４を手繰り寄せる際にも、引き寄せロープ２４は順次、引き寄せロープ巻き取り部２２に巻き取られる。
【００２４】
作業者がはしご３０を登ると、やがてはしご３０の中程に到達して、セーフティ装置１は図２の状態となり、はしご３０を登り切り、作業者が安全ベルトからフック１４ａを外すと、セーフティ装置は図１の状態になる。作業者がはしご３０を用いて、地上から高いところに登る場合でも、セーフティ装置の使用態様は、上記と同様である。
【００２５】
次に、図４乃至図７に基づいて、引き寄せロープ巻き取りシステム２０の構成を詳しく説明する。図４は、引き寄せロープ巻き取りシステム２０の背面斜視図であり、図５は、引き寄せロープ巻き取りシステム２０の正面図であり、図６は、引き寄せロープ巻き取りシステム２０の側面図であり、図７は、引き寄せロープ巻き取りシステム２０の平面図である。
【００２６】
これら図４乃至図７に示すように、本実施形態に係る引き寄せロープ巻き取り部２２は、円筒形状をなしており、その内部には、上述したようにドラムが収納されている。このドラムが所定方向に自律的に回転するように構成されていることから、引き寄せロープ２４が引き寄せロープ巻き取り部２２へ自動的に巻き取られる機構が実現されている。
【００２７】
引き寄せロープ巻き取り部２２の上部には、開口２２ａが形成されている。この開口２２ａから、引き寄せロープ２４が引き寄せロープ巻き取り部２２に巻き取られたり、引き寄せロープ巻き取り部２２から繰り出されたりする。引き寄せロープ２４の一端に設けられたカラビナ２６は、引き寄せロープ２４が引き寄せロープ巻き取り部２２に最大限巻き取られたとしても、開口２２ａから、引き寄せロープ巻き取り部２２に収納されないように構成されている。すなわち、図４乃至図７に示した状態が、本実施形態においては、引き寄せロープ２４が引き寄せロープ巻き取り部２２に最大限収納された状態を示している。
【００２８】
引き寄せロープ巻き取り部２２の背面には、クランプ２８が設けられている。このクランプ２８は、引き寄せロープ巻き取り部２２を、他の部材に固定的に取り付けるための取り付け具である。本実施形態に係るクランプ２８は、平面視Ｕ字状の固定部材２８ａと、長さ方向に移動可能な締め付け部材２８ｂとを備えている。固定部材２８ａは、引き寄せロープ巻き取り部２２の背面に固定的に取り付けられている。締め付け部材２８ｂは、Ｕ字状の固定部材２８ａに一方の端部を貫通した長ネジにより構成されており、その先端部にはパッド２８ｃが設けられている。長ネジの溝が刻まれた締め付け部材２８ｂは、これを回転させることにより、パッド２８ｃと、Ｕ字状の他方の端部との間の距離を調整できる。このため、固定部材の厚さに応じて、パッド２８ｃと、Ｕ字状の他方の端部との間に、固定部材を締め付けて、引き寄せロープ巻き取り部２２を取り外し可能に取り付けることができる。
【００２９】
このクランプ２８が本実施形態に係る第１取り付け部を構成しているが、第１取り付け部は、クランプ２８に限られるものではなく、何らかの手段で、引き寄せロープ巻き取り部２２を他の部材に取り付けられる構造を有するものであれば、どのような取り付け具であってもよい。また、第１取り付け部の取り付けられる他の部材は、はしご３０の桁に限られるものではなく、ローリングタワー等の何らかの固定物であれば足りる。
【００３０】
以上のように、本実施形態に係るセーフティ装置によれば、作業者の昇降に応じて、引き寄せロープ巻き取り部２２が引き寄せロープ２４を繰り出し可能に巻き取るので、引き寄せロープ２４が、作業者の周囲や下部で弛まないようにすることができる。このため、周辺の突起物等に引き寄せロープ２４に絡まったり、引き寄せロープ２４自体が絡まったりすることを防止することができる。
【００３１】
なお、上述した実施形態においては、セーフティ装置はセーフティブロック１０と引き寄せロープ巻き取りシステム２０と備えて構成されると説明したが、セーフティブロック１０と引き寄せロープ巻き取りシステム２０とは予め組み合わさっている必要は必ずしもなく、既存のセーフティブロック１０に、引き寄せロープ巻き取りシステム２０を後から追加的に取り付けることによりセーフティ装置を構成することもできる。
【００３２】
以上、いくつかの実施形態を説明したが、これらの実施形態は、例としてのみ提示したものであり、発明の範囲を限定することを意図したものではない。本明細書で説明した新規な装置および方法は、その他の様々な形態で実施することができる。また、本明細書で説明した装置および方法の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【００３３】
１０：セーフティブロック、１２：セーフティロープ巻き取り部、１４：セーフティロープ、１４ａ：フック、１６：セーフティブロック取り付け部１６、１６ａ：ロープ、１６ｂ：フック、２０：引き寄せロープ巻き取りシステム、２２：引き寄せロープ巻き取り部、２４：引き寄せロープ
【図１】
2019162198.tif 000003
【図２】
2019162198.tif 000004
【図３】
2019162198.tif 000005
【図４】
2019162198.tif 000006
【図５】
2019162198.tif 000007
【図６】
2019162198.tif 000008
【図７】
2019162198.tif 000009